(57)【要約】【課題】ユーザの設定を容易にすることができる、データ入出力処理システムを提供する。【解決手段】ＭＦＰ１００を構成する各機器（ユニット）には、シールなどによりＱＲコード（ＱＲ１〜ＱＲ１０）が付されている。ＭＦＰ１００の操作パネル１０５は、データ入出力サーバからの表示指示に基づき、文字、イメージ、およびそれに対応するＱＲコードを表示することが可能である。ユーザは携帯電話のカメラによりＱＲコードを撮影し、それを送信することで、ＭＦＰ１００の動作を設置することができる。【選択図】図５
2007108947.tif 000002
【特許請求の範囲】
【請求項１】
データ入出力装置と、操作デバイスとを含むデータ入出力システムに用いられるデータ入出力処理プログラムであって、
前記データ入出力装置の各部位に対応する識別情報、または前記データ入出力装置の表示部に表示された識別情報を、前記操作デバイスを用いて光学的に読取る読取ステップと、
前記読取ステップで読取られた識別情報に基づいて、前記データ入出力装置の制御を行なうための処理を実行する実行ステップとをコンピュータに実行させる、データ入出力処理プログラム。
【請求項２】
前記実行ステップは、前記読取ステップで読取られた識別情報に基づく情報を外部機器に送信することで、前記データ入出力装置の制御を行なうための処理を実行する、請求項１に記載のデータ入出力処理プログラム。
【請求項３】
前記操作デバイスは、識別情報の映像を前記外部機器に送信し、
前記外部機器は、映像に基づいて前記データ入出力装置の制御を行なうための処理を判定し、制御情報を前記データ入出力装置に送信する、請求項２に記載のデータ入出力処理プログラム。
【請求項４】
前記操作デバイスは、識別情報の映像に基づいて前記データ入出力装置の制御を行なうための処理を判定する、請求項１に記載のデータ入出力処理プログラム。
【請求項５】
前記操作デバイスは、制御情報を外部に送信する、請求項４に記載のデータ入出力処理プログラム。
【請求項６】
前記操作デバイスは、制御情報を前記データ入出力装置へ出力する、請求項５に記載のデータ入出力処理プログラム。
【請求項７】
前記読取ステップで読取られた識別情報のみでは、前記データ入出力装置の制御を行なうためには情報が不足すると判定されたときに、ユーザにその情報を要求する要求ステップをさらにコンピュータに実行させる、請求項１〜６のいずれかに記載のデータ入出力処理プログラム。
【請求項８】
前記要求ステップは、
前記データ入出力装置の表示部に識別情報を表示する表示ステップと、
前記表示された識別情報を前記操作デバイスを用いて光学的に読取ることで不足する情報を取得する取得ステップとを含む、請求項７に記載のデータ入出力処理プログラム。
【請求項９】
前記読取ステップは、入出力対象データを特定する情報を読取り、
前記実行ステップは、前記読取られた情報に基づき前記データ入出力装置においてデータの入出力を行なう、請求項１〜８のいずれかに記載のデータ入出力処理プログラム。
【請求項１０】
前記データ入出力装置は、入出力の対象となるデータの候補の識別情報を表示部に複数表示し、その少なくとも一部が前記操作デバイスにより光学的に読取られることで入出力の対象となるデータが特定される、請求項１〜９のいずれかに記載のデータ入出力処理プログラム。
【請求項１１】
前記データ入出力装置は、ある機能が設定された時に設定すべきサブ選択子の識別情報を表示部に複数表示し、その少なくとも一部が前記操作デバイスにより光学的に読取られることでサブ選択子が特定される、請求項１〜１０のいずれかに記載のデータ入出力処理プログラム。
【請求項１２】
前記識別情報は、バーコード、ＱＲコード、図、映像その他の情報により構成される、データ入出力装置およびその部位を特定するための情報である、請求項１〜１１のいずれかに記載のデータ入出力処理プログラム。
【請求項１３】
前記識別情報は、前記データ入出力装置を識別するための情報を含む、請求項１〜１２のいずれかに記載のデータ入出力処理プログラム。
【請求項１４】
前記読取ステップは、複数のデータ入出力装置から識別情報を読取り、
前記実行ステップは、複数のデータ入出力装置の制御を行なうための処理を実行する、請求項１〜１３のいずれかに記載のデータ入出力処理プログラム。
【請求項１５】
前記読取ステップは、一度読み込んだ識別情報がもう一度読取られると、一回目の識別情報の読取りをキャンセルする、請求項１〜１４のいずれかに記載のデータ入出力処理プログラム。
【請求項１６】
前記操作デバイスにおいて、読取られた識別情報、またはそれに関連する情報を保存する保存ステップをさらに実行する、請求項１〜１５のいずれかに記載のデータ入出力処理プログラム。
【請求項１７】
データ入出力装置と、操作デバイスとを含むデータ入出力システムであって、
前記データ入出力装置の各部位に対応する識別情報、または前記データ入出力装置の表示部に表示された識別情報を、前記操作デバイスを用いて光学的に読取る読取手段と、
前記読取手段で読取られた識別情報に基づいて、前記データ入出力装置の制御を行なうための処理を実行する実行手段とを備えた、データ入出力処理システム。
【請求項１８】
データ入出力装置におけるデータの入出力の制御を行なうデータ入出力処理装置であって、
操作デバイスを用いて光学的に読取られた、前記データ入出力装置の各部位に対応する識別情報、または前記データ入出力装置の表示部に表示された識別情報を入力する第１の入力手段と、
前記入力された識別情報のみでは、前記データ入出力装置の制御を行なうためには情報が不足すると判定されたときに、前記データ入出力装置の表示部に識別情報を表示する表示手段と、
前記操作デバイスを用いて光学的に読取られた、前記データ入出力装置の表示部に表示された識別情報を入力する第２の入力手段と、
前記第１および第２の入力手段で入力された識別情報に基づいて、前記データ入出力装置の制御を行なうための処理を実行する実行手段とを備えた、データ入出力処理装置。
【発明の詳細な説明】
【技術分野】
【０００１】
この発明はデータ入出力処理プログラム、データ入出力処理システム、およびデータ入出力処理装置に関し、特にユーザの設定を簡単にすることができるデータ入出力処理プログラム、データ入出力処理システム、およびデータ入出力処理装置に関する。
【背景技術】
【０００２】
下記の特許文献１は、携帯端末から電子データと印刷要求データとを印刷作業管理機器に送信することで、印刷要求データに応じた印刷機器を選択する電子データ印刷システムを開示している。
【特許文献１】特開２００３−１７３２４９号公報
【発明の開示】
【発明が解決しようとする課題】
【０００３】
ＭＦＰ（Multi Function Peripherals）などに代表される多機能な画像形成装置が存在する。ＭＦＰやプリンタやＰＣ（Personal Computer）や携帯デバイスなど様々な入出力デバイスをネットワークで接続し、データ入出力システムを構成することが考えられる。
【０００４】
携帯電話、携帯端末などの携帯デバイスは、携帯するという特性上、操作部および表示部が貧弱な場合が多い。従って、携帯デバイスをユーザの操作デバイスとして使用する場合、ＭＦＰのような多機能な機器での複雑な設定を行なうことが困難であるという問題がある。
【０００５】
本発明は上記問題点を解決するためになされたものであり、ユーザの設定を容易にすることができる、データ入出力処理プログラム、データ入出力処理システム、およびデータ入出力処理装置を提供することを目的としている。
【課題を解決するための手段】
【０００６】
上記目的を達成するためこの発明のある局面に従うと、データ入出力装置と、操作デバイスとを含むデータ入出力システムに用いられるデータ入出力処理プログラムは、データ入出力装置の各部位に対応する識別情報、またはデータ入出力装置の表示部に表示された識別情報を、操作デバイスを用いて光学的に読取る読取ステップと、読取ステップで読取られた識別情報に基づいて、データ入出力装置の制御を行なうための処理を実行する実行ステップとをコンピュータに実行させる。
【０００７】
好ましくは実行ステップは、読取ステップで読取られた識別情報に基づく情報を外部機器に送信することで、データ入出力装置の制御を行なうための処理を実行する。
【０００８】
好ましくは操作デバイスは、識別情報の映像を外部機器に送信し、外部機器は、映像に基づいてデータ入出力装置の制御を行なうための処理を判定し、制御情報をデータ入出力装置に送信する。
【０００９】
好ましくは操作デバイスは、識別情報の映像に基づいてデータ入出力装置の制御を行なうための処理を判定する。
【００１０】
好ましくは操作デバイスは、制御情報を外部に送信する。
好ましくは操作デバイスは、制御情報をデータ入出力装置へ出力する。
【００１１】
好ましくはデータ入出力処理プログラムは、読取ステップで読取られた識別情報のみでは、データ入出力装置の制御を行なうためには情報が不足すると判定されたときに、ユーザにその情報を要求する要求ステップをさらにコンピュータに実行させる。
【００１２】
好ましくは要求ステップは、データ入出力装置の表示部に識別情報を表示する表示ステップと、表示された識別情報を操作デバイスを用いて光学的に読取ることで不足する情報を取得する取得ステップとを含む。
【００１３】
好ましくは読取ステップは、入出力対象データを特定する情報を読取り、実行ステップは、読取られた情報に基づきデータ入出力装置においてデータの入出力を行なう。
【００１４】
好ましくはデータ入出力装置は、入出力の対象となるデータの候補の識別情報を表示部に複数表示し、その少なくとも一部が操作デバイスにより光学的に読取られることで入出力の対象となるデータが特定される。
【００１５】
好ましくはデータ入出力装置は、ある機能が設定された時に設定すべきサブ選択子の識別情報を表示部に複数表示し、その少なくとも一部が操作デバイスにより光学的に読取られることでサブ選択子が特定される。
【００１６】
好ましくは識別情報は、バーコード、ＱＲコード、図、映像その他の情報により構成される、データ入出力装置およびその部位を特定するための情報である。
【００１７】
好ましくは識別情報は、データ入出力装置を識別するための情報を含む。
好ましくは読取ステップは、複数のデータ入出力装置から識別情報を読取り、実行ステップは、複数のデータ入出力装置の制御を行なうための処理を実行する。
【００１８】
好ましくは読取ステップは、一度読み込んだ識別情報がもう一度読取られると、一回目の識別情報の読取りをキャンセルする。
【００１９】
好ましくはデータ入出力処理プログラムは、操作デバイスにおいて、読取られた識別情報、またはそれに関連する情報を保存する保存ステップをさらに実行する。
【００２０】
この発明の他の局面に従うと、データ入出力装置と、操作デバイスとを含むデータ入出力システムは、データ入出力装置の各部位に対応する識別情報、またはデータ入出力装置の表示部に表示された識別情報を、操作デバイスを用いて光学的に読取る読取手段と、読取手段で読取られた識別情報に基づいて、データ入出力装置の制御を行なうための処理を実行する実行手段とを備える。
【００２１】
この発明のさらに他の局面に従うと、データ入出力装置におけるデータの入出力の制御を行なうデータ入出力処理装置は、操作デバイスを用いて光学的に読取られた、データ入出力装置の各部位に対応する識別情報、またはデータ入出力装置の表示部に表示された識別情報を入力する第１の入力手段と、入力された識別情報のみでは、データ入出力装置の制御を行なうためには情報が不足すると判定されたときに、データ入出力装置の表示部に識別情報を表示する表示手段と、操作デバイスを用いて光学的に読取られた、データ入出力装置の表示部に表示された識別情報を入力する第２の入力手段と、第１および第２の入力手段で入力された識別情報に基づいて、データ入出力装置の制御を行なうための処理を実行する実行手段とを備える。
【発明の効果】
【００２２】
これらの発明に従うと、データ入出力装置の各部位に対応する識別情報、またはデータ入出力装置の表示部に表示された識別情報を、操作デバイスを用いて光学的に読取り、読取られた識別情報に基づいて、データ入出力装置の制御を行なうための処理が実行されるため、ユーザの設定を容易にすることができる、データ入出力処理プログラム、データ入出力処理システム、およびデータ入出力処理装置を提供することが可能となる。
【発明を実施するための最良の形態】
【００２３】
図１は、本発明の実施の形態の１つにおける、データ入出力システムの構成を示す図である。
【００２４】
図を参照して、データ入出力システムは、データの入出力デバイスであるＭＦＰ１００と、データ入出力サーバ２００と、操作デバイスである携帯電話３００とから構成される。データ入出力サーバ２００は、ｅ−ｍａｉｌを受信可能であり、ＭＦＰ１００と双方向通信が可能なＬＡＮなどの通信回線で接続される。
【００２５】
データ入出力システムは、携帯電話３００のカメラによって、ＭＦＰ１００に表示または添付された識別情報（ＱＲ（Quick Response）コードなどの識別マークなど）を光学的読込むことにより、ユーザによる操作指示とすることを特徴としている。
【００２６】
読込まれた識別情報は、携帯電話３００からｅ−ｍａｉｌによりデータ入出力サーバ２００に送られる。データ入出力サーバ２００のｅ−ｍａｉｌアドレスは、「dataiosys@konicaminolta.jp」であるものとする。
【００２７】
図２は、図１のＭＦＰ１００のハードウェア構成を示すブロック図である。
図を参照して、ＭＦＰ１００は、装置全体を制御する制御部１０６と、原稿から画像データを読取るイメージリーダ部１０１と、用紙上に画像を印刷するプリンタ部１０２と、近距離の無線通信を行なったり、ＭＦＰ１００をネットワークや電話回線に接続するための通信部１０３と、ジョブデータなどを記憶するための記憶部１０４と、ユーザとのインターフェースである操作パネル１０５と、消耗品の残量などを検出するセンサ部１０７とを含む。
【００２８】
また、ＭＦＰ１００には、用紙を扱うトレイやステープルユニットなどのユニット１０９ａ，１０９ｂ，…が接続される。
【００２９】
図３は、図１のデータ入出力サーバ２００のハードウェア構成を示すブロック図である。
【００３０】
図を参照して、データ入出力サーバ２００は、装置全体の制御を行なうＣＰＵ６０１と、ディスプレイ６０５と、ネットワークに接続したり外部と通信を行なうためのＬＡＮ（ローカルエリアネットワーク）カード６０７（またはモデムカード）と、キーボードやマウスなどにより構成される入力装置６０９と、フレキシブルディスクドライブ６１１と、ＣＤ−ＲＯＭドライブ６１３と、ハードディスクドライブ６１５と、ＲＡＭ６１７と、ＲＯＭ６１９とを備えている。
【００３１】
フレキシブルディスクドライブ６１１により、フレキシブルディスクＦに記録されたプログラムや画像などのデータを読取ることが可能であり、ＣＤ−ＲＯＭドライブ６１３により、ＣＤ−ＲＯＭ６１３ａに記録されたプログラムや画像などのデータを読取ることが可能である。
【００３２】
図４は、図１の携帯電話３００のハードウェア構成を示すブロック図である。
図を参照して携帯電話３００は、装置全体の制御を行なうＣＰＵ２０１と、通信を行なうための通信部２０３と、データを記録するメモリ２０５と、プログラムや定数などを記憶するＲＯＭ２０７と、ＣＣＤなどにより構成され画像を取得するカメラ２０９と、音声を出力するスピーカ２１１と、音声を入力するマイク２１３と、テンキーなどを含む入力部２１５と、液晶表示装置などを含むディスプレイ２１７とから構成される。
【００３３】
図５は、ＭＦＰ１００の外観と、操作パネル１０５の表示部とを示す図である。
ＭＦＰ１００を構成する各部位には、シールなどによりＱＲコードが付されている。
【００３４】
また操作パネル１０５は、データ入出力サーバ２００からの表示指示に基づき、文字、イメージ、およびそれに対応するＱＲコードを表示することが可能である。
【００３５】
ここではＱＲコードは、ＭＦＰの１０箇所の部位（ＱＲ１〜ＱＲ１０）に付されているものとする。
【００３６】
ＱＲ１は、ＭＦＰ１００のスキャナガラス面に付されるＱＲコードである。ＱＲ２は、ＭＦＰ１００のスキャナＡＤＦに付されるＱＲコードである。ＱＲ３は、ＭＦＰの給紙トレイ１に付されるＱＲコードである。ＱＲ４は、ＭＦＰ１００の給紙トレイ２に付されるＱＲコードである。ＱＲ５は、ＭＦＰの給紙トレイ３に付されるＱＲコードである。ＱＲ６は、ＭＦＰ１００の給紙トレイ４に付されるＱＲコードである。
【００３７】
またＱＲ７は、ＭＦＰのステープラーユニットに付されるＱＲコードである。ＱＲ８は、ＭＦＰのデュプレックス（両面印刷）ユニットに付されるＱＲコードである。ＱＲ９は、ＭＦＰの排紙トレイ１に付されるＱＲコードである。ＱＲ１０は、ＭＦＰの排紙トレイ２に付されるＱＲコードである。
【００３８】
図６は、各ＱＲコードの内容を示す図である。
各ＱＲコードＱＲ１〜１０には、図に示すように、データ入出力サーバ２００のメールアドレス宛に情報を送信するためのデータが記録されている。詳しくは、各ＱＲコードには、そのＱＲコードが付されているＭＦＰ１００のＩＰアドレスなどの、ＭＦＰを識別するための内容と、そのＱＲコードが付されている部位（ユニットなど）の名称とを本文とするＭＩＭＥデータがコード化されて記録されている。
【００３９】
図７は、携帯電話３００のディスプレイ２１７の表示例を示す図である。
携帯電話３００には、データ入出力アプリケーションがインストールされている。データ入出力アプリケーションが選択され、起動されると、図７の右に示されるように、ディスプレイ２１７には、「データを入出力するために、入出力デバイス上のＱＲコードにレンズを向けて読込ボタンを押してください。必要なコードを読み込んだら開始ボタンを押して下さい。」との表示がなされる。
【００４０】
図８は、携帯電話３００でＭＦＰ１００の使用する部位のＱＲコードを撮影している状態を示す図である。
【００４１】
ユーザは携帯電話３００に図７右の画面が表示されている状態で、ＭＦＰ１００の使用する部位に付されたＱＲコードを撮影する。ここでは、ユーザが給紙トレイ２とデュプレックスユニットとを使用するものとし、ユーザは携帯電話３００のカメラ２０９で、それらの部位に付されたＱＲコードであるＱＲ４とＱＲ８とを撮影する（図７右の画面において、「読込」に対応するキーを押下する）。その後、ユーザは、図７右の画面において、「開始」に対応するキーを押下する。
【００４２】
これにより、図６に示されるようにＱＲコードから、メールの宛先と、ＭＦＰのアドレスと、部位の名称が抽出される。ＭＦＰのアドレスと部位の名称は、データ入出力サーバ２００にｅ−ｍａｉｌで送信される。
【００４３】
データ入出力サーバ２００は、常時ｅ−ｍａｉｌ受信待ちの待機状態となっており、データ入出力処理が起動している。携帯電話１００からｅ−ｍａｉｌが送信されると、それを解析し、ＭＦＰ１００の制御情報を生成し、ＭＦＰ１００に送信する。
【００４４】
このとき、ｅ−ｍａｉｌの情報のみでは、ＭＦＰの制御を行なうためには情報が不足すると判定されたときに、ユーザにその情報を要求する。すなわち、操作パネル１０５にＱＲコードが表示され、ユーザは表示されたＱＲコードのうち、所望のものを携帯電話３００を用いて光学的に読取ることで不足する情報の入力が行なわれる。
【００４５】
図９は、携帯電話３００でＭＦＰ１００の操作パネル１０５に表示されたＱＲコードを撮影している状態を示す図である。
【００４６】
ここでは、入出力の対象となるデータを「報告書」、「提案書」、「仕様書」の中から選択させるためのＱＲコードと、データの出力形態を１ｕｐ、２ｕｐ、４ｕｐの中から選択させるためのＱＲコードとが操作パネル１０５に表示されている。ユーザは、入出力の対象とするデータに対応するＱＲコードと、選択するデータの出力形態に対応するＱＲコードとを携帯電話３００のカメラ２０９で撮影し、ｅ−ｍａｉｌによりデータ入出力サーバ２００に送信する。これにより、不足する情報が補完され、ＭＦＰ１００によりデータの出力が行なわれる。
【００４７】
次に、データ入出力システムの各構成要素が実行する処理についてフローチャートを用いて説明する。
【００４８】
図１０は、携帯電話３００の実行するデータ入出力アプリケーションの処理を示すフローチャートである。
【００４９】
ユーザがＭＦＰ１００の前で携帯電話３００のデータ入出力アプリケーションを起動すると、ステップＳ１０１でディスプレイ２１７は、図７右に示されるデータ入出力アプリケーション表示に切替わる。そして、ユーザからのボタン押下を待つ処理を実行する。
【００５０】
ユーザはＭＦＰ１００に付されたＱＲコード、または操作パネル１０５に表示されたＱＲコードに、カメラ２０９のレンズを向けて、「読込」に該当するボタンを押下する（Ｓ１０３）。
【００５１】
ステップＳ１０５で、データ入出力アプリケーションは、ＱＲコードを読込み、ステップＳ１０７でそれを解析し、ステップＳ１０９でｅ−ｍａｉｌ文書を作成する。複数のＱＲコードを読み込むとそれらのｅ−ｍａｉｌ文書を統合する処理が行なわれる。
【００５２】
図１１は、ｅ−ｍａｉｌ統合処理の具体例を示す図である。
ここではたとえば、ＱＲ４（ＴＲＡＹ２）と、ＱＲ８（ＤＵＰＬＥＸ  ＵＮＩＴ）と、ＱＲ７（ＳＴＡＰＬＥＲ  ＵＮＩＴ）のＱＲコードが順次読込まれた状態を示しており、これによりデータ入出力サーバ２００を宛先とし、本文の中に出力デバイスであるＭＦＰ１００のＩＰアドレスと、ＭＦＰ１００のタイプ（機種）と、選択された部位とが記載された複数のｅ−ｍａｉｌ（Ｅ１〜Ｅ３）が作成される。
【００５３】
これらのｅ−ｍａｉｌの宛先、本文中のＭＦＰ１００のＩＰアドレス、ＭＦＰ１００のタイプ（機種）は同じであるため、統合され、１つのｅ−ｍａｉｌの中に選択された部位が複数記載されたｅ−ｍａｉｌ（Ｅ４）とされる。
【００５４】
ユーザが携帯電話３００の「開始」に該当するボタンを押下すると（Ｓ１０３）、ステップＳ１１１で、携帯電話のｅ−ｍａｉｌアドレスを、統合したｅ−ｍａｉｌ文書の「Ｆｒｏｍ」の欄に挿入し、それを送信する。
【００５５】
図１２は、データ入出力サーバ２００の実行するデータ入出力処理を示すフローチャートである。
【００５６】
データ入出力サーバ２００は、ステップＳ２０１でｅ−ｍａｉｌの受信を待つ状態となる。携帯電話からのｅ−ｍａｉｌを受信すると、ステップＳ２０３においてｅ−ｍａｉｌ文書を解析し、ステップＳ２０５でデータ入出力デバイス（ここではＭＦＰ１００）への入出力指示（制御情報）を作成する。ここでは、図１１に示されるような統合後のｅ−ｍａｉｌ（Ｅ４）を受取った場合、出力デバイスのタイプ（機種）に基づいて、サーバ内の出力デバイス用テンプレートを取得し、携帯電話３００からのｅ−ｍａｉｌの内容を当てはめることで、デバイス向け入出力指示データを作成する。
【００５７】
図１３は、テンプレートからデバイス向け入出力指示データを作成する処理を示す図である。
【００５８】
ここでは、出力デバイスタイプ「Ｃ３５０」に対応するテンプレートＴが取得され、そのテンプレートに基づいて、Ｃ３５０用の入出力指示データＤ１が作成される状態を示している。
【００５９】
統合後のｅ−ｍａｉｌ（Ｅ４）に基づき、テンプレートの中の項目が選択され、Ｃ３５０用の入出力指示データＤ１が作成されている。その際、ｅ−ｍａｉｌで指定されていない任意の項目についてはデフォルト（下線が付された設定）が適応される。
【００６０】
図１２のステップＳ２０７で、必須項目が不足または未決かが判定され、そうであれば不足情報入力要求作成処理（Ｓ２１１）と入出力デバイスへの表示指示の送信（Ｓ２１３）が行なわれる。これは、不足する情報の入力をユーザに要求する情報を作成し、それを入出力デバイスに送信する処理である。
【００６１】
すなわちデータ入出力サーバ２００は、入出力デバイスであるＭＦＰに表示指示を送信し、ｅ−ｍａｉｌ受信待ち状態に遷移する（Ｓ２１５）。図１３を例に挙げると、Ｃ３５０用の入出力指示データＤ１には、必須項目の面付け設定と、印刷対象データの設定が行なわれていないことが判る。
【００６２】
不足情報入力要求作成処理においては、ステップＳ２０１で受信されたｅ−ｍａｉｌのＦｒｏｍアドレスに基づいてユーザを特定し、そのユーザが保存したデータを印刷対象データの候補とする。同様に面付けとして、テンプレートに１ｕｐ、２ｕｐ、４ｕｐが登録されているので、１ｕｐ、２ｕｐ、４ｕｐを候補とする。
【００６３】
図１４は、不足情報入力要求作成処理において作成される画像データの具体例を示す図である。
【００６４】
ここでは、ユーザが保存したデータが、「報告書」、「提案書」、「仕様書」の３つであったものとし、それぞれを特定するためのＱＲコードが作成され、画像データとされる。また、面付けとして「１ｕｐ」、「２ｕｐ」、「４ｕｐ」のそれぞれを特定するためのＱＲコードが作成され、画像データとされる。
【００６５】
さらに、図１１のｅ−ｍａｉｌではステープラーユニットが選択されているため、ステープルを行なう設定となっている（図１３のＤ１参照）。ステープルの方法として、「左上１箇所」、「中央２箇所」のいずれかをサブ選択子として選択する必要があるため、「左上１箇所」、「中央２箇所」のそれぞれを特定するためのＱＲコードが作成され、画像データとされる。各ＱＲコードには、ｅ−ｍａｉｌを作成するためのデータが含まれている。
【００６６】
ステップＳ２１３においては、図１４に示される画像データが表示指示として、入出力デバイスに送信される。
【００６７】
入出力デバイス（この例ではＭＦＰ１００）は、表示指示を受信するとデバイスの表示部（操作パネル）に受信した画像データを表示する。
【００６８】
図１５は、表示指示に基づく出力デバイスでの表示例を示す図である。
図に示されるように、ここではＭＦＰ１００の操作パネル１０５に図１４の画像データが表示される。
【００６９】
ユーザは、デバイスの表示部に表示された所望のＱＲコードを携帯電話３００のデータ入出力アプリケーションで読込み、それをデータ入出力サーバ２００へ送信する。たとえば図１３の入出力指示データＤ１が存在する状態で、図１４のＱＲコードから「仕様書」、「２ｕｐ」、「中央２箇所」のＱＲコードが選択されたときには、図１４のｅ−ｍａｉｌ（Ｅ４〜Ｅ６）が作成される。図１０のフローチャートでの処理により、ｅ−ｍａｉｌ（Ｅ４〜Ｅ６）は統合されて送信される（統合されたものを、図１６のｅ−ｍａｉｌ（Ｅ７）として示す）。
【００７０】
図１２のステップＳ２１５でｅ−ｍａｉｌ受信待ちをしていたデータ入出力サーバ２００は、ステップＳ２１７で受信したｅ−ｍａｉｌを解析し、ステップＳ２１９でデバイス用の入出力指示データを作成する。
【００７１】
図１６は、デバイス用の入出力指示データを作成する処理の具体例を示す図である。
たとえば、図１３の入出力指示データＤ１が存在する状態で、図１６のＥ６に示されるｅ−ｍａｉｌが受信されたのであれば、ｅ−ｍａｉｌの内容に従って入出力指示データＤ１の内容が埋められ、入出力指示データＤ２（図１６）が作成される。
【００７２】
データ入出力サーバ２００は、入出力指示データに不足がなくなる（Ｓ２０７で「なし」と判定される）と、ステップＳ２０９で、デバイスへの入出力指示送信を行なう。すなわち、出力デバイスへの文書印刷のためのデータを生成しデバイスに出力する。出力デバイスは文書印刷データを受信すると、そのデータに基づいて印刷を行なう。
【００７３】
上記の処理により、ユーザは図８、図９の操作を行なうだけで、所望のＭＦＰの所望のトレイの用紙を用いて、両面印刷で２ｕｐの仕様書を取出すことができる。
【００７４】
［実施の形態における効果］
以上説明したように、本実施の形態によると、携帯電話などの携帯デバイスを用いて複雑な操作指示を容易に行なうことが可能になるという効果がある。
【００７５】
［変形例］
なお、上記実施の形態ではＭＦＰを用いて画像を出力させる場合を説明したが、たとえばスキャナなどにより画像を入力するシステムにおいても本発明を適用することができる。すなわちＱＲコードを用いて、画像入力の設定を行なうシステムを構成することが考えられる。
【００７６】
また、ＱＲコードを識別情報の具体例として述べたが、バーコード、図（たとえば機器の部材を縮小したマーク、アイコンなど）、映像（たとえば機器の部材の写真画像）、文字、マークなどを識別情報として用いるようにしてもよい。
【００７７】
また、識別情報の解析は、データ入出力サーバ２００で行なってもよいし、携帯電話３００で行なってもよい。また、データ入出力サーバ２００の機能を、ＭＦＰ１００が行なってもよいし、携帯電話３００が行なうようにしてもよい。この場合、データ入出力サーバ２００は不要である。
【００７８】
また、携帯電話以外にも、ユーザが持運び可能なモバイル機器などの携帯デバイスに本発明を適用することが可能である。
【００７９】
さらに、上記実施の形態においてはＭＦＰなどの機器の部材に、直接に識別情報であるＱＲコードを付すこととしたが、部材との対応がユーザに理解できるように、カードや表としてＱＲコードを記載し、それを携帯デバイスで読取るようにしてもよい。
【００８０】
さらに、上記実施の形態においては、１台のＭＦＰで処理を行なう例を挙げたが、複数の装置のそれぞれからＱＲコードなどを読取り、複数の装置で処理を行なうようにしてもよい。たとえば、スキャナとプリンタとを接続し、画像の読取りと出力を行なうシステムなどにも本発明を適用することができる。
【００８１】
また、携帯電話において、一度読み込んだ識別情報がもう一度読取られると、一回目の識別情報の読取りをキャンセルするように構成すると、ユーザの使い勝手が向上する。
【００８２】
さらに携帯電話において、読取られた識別情報、またはそれに関連する情報を保存するように構成すると、よく使う設定を記憶させることができるため、ユーザの使い勝手が向上する。
【００８３】
なお、上述の実施の形態における処理は、ソフトウエアにより行なってもよいし、ハードウエア回路を用いて行なってもよい。
【００８４】
また、上述の実施の形態におけるフローチャートの処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００８５】
また、本発明はネットワークに接続されたシステムにおいても、ネットワーク環境に接続されていないシステムにも適用することができる。
【００８６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８７】
【図１】本発明の実施の形態の１つにおける、データ入出力システムの構成を示す図である。
【図２】図１のＭＦＰ１００のハードウェア構成を示すブロック図である。
【図３】図１のデータ入出力サーバ２００のハードウェア構成を示すブロック図である。
【図４】図１の携帯電話３００のハードウェア構成を示すブロック図である。
【図５】ＭＦＰ１００の外観と、操作パネル１０５の表示部とを示す図である。
【図６】各ＱＲコードの内容を示す図である。
【図７】携帯電話３００のディスプレイ２１７の表示例を示す図である。
【図８】携帯電話３００でＭＦＰ１００の使用する部位のＱＲコードを撮影している状態を示す図である。
【図９】携帯電話３００でＭＦＰ１００の操作パネル１０５に表示されたＱＲコードを撮影している状態を示す図である。
【図１０】携帯電話３００の実行するデータ入出力アプリケーションの処理を示すフローチャートである。
【図１１】ｅ−ｍａｉｌ統合処理の具体例を示す図である。
【図１２】データ入出力サーバ２００の実行するデータ入出力処理を示すフローチャートである。
【図１３】テンプレートからデバイス向け入出力指示データを作成する処理を示す図である。
【図１４】不足情報入力要求作成処理において作成される画像データの具体例を示す図である。
【図１５】表示指示に基づく出力デバイスでの表示例を示す図である。
【図１６】デバイス用の入出力指示データを作成する処理の具体例を示す図である。
【符号の説明】
【００８８】
１００  ＭＦＰ、１０２  プリンタ部、１０３  通信部、１０５  操作パネル、１０６  制御部、１０９ａ，１０９ｂ  ユニット、２００  データ入出力サーバ、２０３  通信部、２０９  カメラ、３００  携帯電話、ＱＲ１〜ＱＲ１０  ＱＲコード、Ｅ１〜Ｅ７  ｅ−ｍａｉｌ、Ｔ  テンプレート、Ｄ１，Ｄ２  入出力指示データ。
【図１】
2007108947.tif 000003
【図２】
2007108947.tif 000004
【図３】
2007108947.tif 000005
【図４】
2007108947.tif 000006
【図５】
2007108947.tif 000007
【図６】
2007108947.tif 000008
【図７】
2007108947.tif 000009
【図８】
2007108947.tif 000010
【図９】
2007108947.tif 000011
【図１０】
2007108947.tif 000012
【図１１】
2007108947.tif 000013
【図１２】
2007108947.tif 000014
【図１３】
2007108947.tif 000015
【図１４】
2007108947.tif 000016
【図１５】
2007108947.tif 000017
【図１６】
2007108947.tif 000018